(57)【特許請求の範囲】
【請求項１】
無線通信システムにおいてスケジューリングチャネルをモニターリングするために受信レベルを遷移させる方法であって、前記方法は、ユーザ機器（ＵＥ）において実行され、
前記方法は、
第１のタイマを開始することと、
前記第１のタイマが動作している間に、Ｎｏｎ−ＤＲＸ（ｎｏｎ−ｄｉｓｃｏｎｔｉｎｕｏｕｓ  ｒｅｃｅｐｔｉｏｎ）レベルにおいて前記スケジューリングチャネルを連続的にモニターリングすることと、
前記第１のタイマが満了するときに、第２のＤＲＸ周期を有する第２のＤＲＸレベルに遷移し、第２のタイマを開始することと、
前記第２のＤＲＸレベルにおいて前記スケジューリングチャネルを不連続的にモニターリングすることと、
前記第２のタイマが満了するときに、前記第２のＤＲＸレベルから、第１のＤＲＸ周期を有する第１のＤＲＸレベルに遷移することと
を含み、前記第１のＤＲＸ周期は前記第２のＤＲＸ周期よりも長い、方法。
【請求項２】
前記第２のＤＲＸレベルにおける前記スケジューリングチャネルが基地局によるデータの伝送または受信を示すときに、前記Ｎｏｎ−ＤＲＸレベルに遷移し、タイマを開始することをさらに含む、請求項１に記載の方法。
【請求項３】
前記第１のＤＲＸレベルおよび前記第２のＤＲＸレベルは、基地局により設定される、請求項１に記載の方法。
【請求項４】
前記スケジューリングチャネルは、ページング指示子チャネルである、請求項１に記載の方法。
【請求項５】
前記スケジューリングチャネルは、ページングチャネルである、請求項１に記載の方法。
【請求項６】
プロセッサを備えるユーザ機器（ＵＥ）であって、
前記プロセッサは、
第１のタイマを開始することと、
前記第１のタイマが動作している間に、Ｎｏｎ−ＤＲＸ（ｎｏｎ−ｄｉｓｃｏｎｔｉｎｕｏｕｓ  ｒｅｃｅｐｔｉｏｎ）レベルにおいてスケジューリングチャネルを連続的にモニターリングすることと、
前記第１のタイマが満了するときに、第２のＤＲＸ周期を有する第２のＤＲＸレベルに遷移し、第２のタイマを開始することと、
前記第２のＤＲＸレベルにおいてスケジューリングチャネルを不連続的にモニターリングすることと、
前記第２のタイマが満了するときに、前記第２のＤＲＸレベルから、第１のＤＲＸ周期を有する第１のＤＲＸレベルに遷移することと
を実行するように構成されており、前記第１のＤＲＸ周期は前記第２のＤＲＸ周期よりも長い、ＵＥ。
【請求項７】
前記プロセッサは、
前記第２のＤＲＸレベルにおける前記スケジューリングチャネルが基地局によるデータの伝送または受信を示すときに、前記Ｎｏｎ−ＤＲＸレベルに遷移し、タイマを開始するように構成されている、請求項６に記載のＵＥ。
【請求項８】
前記第１のＤＲＸレベルおよび前記第２のＤＲＸレベルは、基地局により設定される、請求項６に記載のＵＥ。
【請求項９】
前記スケジューリングチャネルは、ページング指示子チャネルである、請求項６に記載のＵＥ。
【請求項１０】
前記スケジューリングチャネルは、ページングチャネルである、請求項６に記載のＵＥ。
【発明の詳細な説明】
【技術分野】
【０００１】
本発明は、無線通信に関し、より詳しくは、無線通信システムにおいて端末の電力消耗を最小化して、サービスの品質を高めるように多重受信レベル間を遷移する方法に関する。
【背景技術】
【０００２】
ＷＣＤＭＡ(Wideband  Code  DivisionMultiple  Access)無線接続技術を基盤とする３ＧＰＰ(3rd  Generation  Partnership  Project)移動通信システムは全世界で広範囲に展開している。ＷＣＤＭＡの最初進化段階と定義することができるＨＳＤＰＡ(HighSpeed  Downlink  Packet  Access)は中期的な(mid−term)未来で高い競争力を有する無線接続技術を３ＧＰＰに提供する。然しながら、使用者と事業者の要求事項と期待が持続的に増加し、競争する無線接続技術開発が進行し続けているため、今後競争力を有するためには３ＧＰＰにおける新しい技術進化が要求される。ビット当たり費用減少、サービス可用性増大、融通性のある周波数バンドの使用、単純構造と開放型インターフェース、端末の適切なパワー消耗などが要求事項となっている。
【０００３】
ページング(Paging)とは、ネットワークが特定目的のために一つまたはその以上の端末を呼び出す行為をいう。ページングはネットワークが特定端末をさがすことができるようにする基本的な機能他にも、端末にとって睡眠モードから覚めるようにする機能もある。即ち、端末は平常時睡眠モード(sleepmode)にある。端末はネットワークからページングチャネルが到着した場合、はじめて覚めて(wake−up)ネットワークが要求する行為をする。
【０００４】
睡眠モードで端末が自分にページングがきたことを知るためには周期的に覚めてページングチャネルが到着したか否かを確認しなければならない。このように端末が常に覚めていることでなく、周期的に覚めることを非連続受信(Discontinuous  reception、以下、ＤＲＸ)という。
【０００５】
端末は基地局と違ってバッテリを用いて動作する。端末のバッテリは継続的に充電しない限り動作時間が制限されている。動作時間を増加させるために、端末は、実際にデータを伝送または受信していない場合にはできるだけ電力を消耗しないように設計されなければならない。
【０００６】
電力消耗を縮めるための多様な方法がある。端末のバッテリ容量の限界に起因する上記設計基準にしたがうための第一の方法は、端末が自分に到着したデータがあるかないか確認する時間を最小化することである。端末が、ページングチャネルのように、端末にデータのあることを知らせるチャネルを観察する時間を最小化する。第二の方法は、ネットワークから端末に伝達すべき使用者データがある場合、上記使用者データを端末に最小限の遅延時間を有して伝達することである。即ち、ネットワークにより使用者データが生成された時から、実際に上記使用者データが指定端末に到着する時までの時間が長いほど、使用者が感じるサービスの品質は低下される。遅延時間を最小化するために、ネットワークに到着した使用者データは最大限速く端末に伝達されなければならない。然しながら、遅延時間を減らすためには、端末が、ページングチャネルのように、端末にデータのあることを知らせるチャネルを観察する時間を最大限にしなければならない。
【０００７】
上記第一の方法と第二の方法は、端末の最適動作において必須不可欠な条件であるにも拘わらず、お互いに相反する条件である。
【０００８】
従って、端末とネットワークで上記二つの条件を同時に満たすことができる方法が必要である。
【発明の概要】
【発明が解決しようとする課題】
【０００９】
本発明の目的は、端末が多重受信レベル間を遷移するようにして端末の電力消耗を最小化してサービス品質の劣化を防止する方法を提供することである。
【課題を解決するための手段】
【００１０】
一態様において、端末がＮｏｎ−ＤＲＸ(non−discontinuousreception)レベルと少なくとも一つのＤＲＸ(discontinuous  reception)レベル間を遷移する方法が提供される。ＤＲＸレベルで端末はスケジューリングチャネルをモニターリングするために周期的に覚める。上記方法は、上記スケジューリングチャネルを連続的にモニターリングするｎｏｎ−ＤＲＸレベルでＤＲＸ指示子を受信する段階、及び上記ＤＲＸ指示子により上記ｎｏｎ−ＤＲＸレベルからＤＲＸレベルに遷移する段階を含む。
【００１１】
他の様態において、端末が複数の受信レベル間を遷移する方法が提供される。上記方法は、第１の受信レベルで遷移情報を受信する段階、及び上記遷移情報に基づいて上記第１の受信レベルから第２の受信レベルに遷移する段階を含む。
【００１２】
もう一つの様態において、端末が複数の受信レベル間を遷移する方法が提供される。上記方法は遷移条件を検出する段階、及び上記遷移条件が検出される時、第１の受信レベルから第２の受信レベルに遷移する段階を含む。上記第１の受信レベルのＤＲＸレベル周期と上記第２の受信レベルのＤＲＸレベル周期は異なる。
本発明は、例えば、以下の項目も提供する。
（項目１）
ＤＲＸレベルで端末がスケジューリングチャネルをモニターリングするために周期的に覚め、端末がＮｏｎ−ＤＲＸ(non−discontinuous  reception)レベルと少なくとも一つのＤＲＸ(discontinuousreception)レベル間を遷移する方法において、
上記スケジューリングチャネルを連続的にモニターリングするｎｏｎ−ＤＲＸレベルでＤＲＸ指示子を受信する段階；及び、
上記ＤＲＸ指示子により上記ｎｏｎ−ＤＲＸレベルからＤＲＸレベルに遷移する段階を含む方法。
（項目２）
項目１において、
上記ＤＲＸ指示子は、相異するＤＲＸレベル周期を有する複数のＤＲＸレベルのうち一つを表す方法。
（項目３）
項目１において、
上記ＤＲＸ指示子は、上記ＤＲＸレベルのＤＲＸレベル周期を含む方法。
（項目４）
項目１において、
上記ＤＲＸ指示子は、上記ＤＲＸレベルの開始点を含む方法。
（項目５）
端末が複数の受信レベル間を遷移する方法において、
第１の受信レベルで遷移情報を受信する段階；及び、
上記遷移情報に基づいて上記第１の受信レベルから第２の受信レベルに遷移する段階を含む方法。
（項目６）
項目５において、
上記第１の受信レベルはｎｏｎ−ＤＲＸレベルであり、上記第２の受信レベルはＤＲＸレベルである方法。
（項目７）
項目５において、
上記第１の受信レベルはＤＲＸレベルであり、上記第２の受信レベルはｎｏｎ−ＤＲＸレベルである方法。
（項目８）
項目５において、
上記第１の受信レベルと上記第２の受信レベルはＤＲＸレベルである方法。
（項目９）
項目５において、
上記遷移情報は、上記第２のＤＲＸレベルを表すＤＲＸ指示子の方法。
（項目１０）
端末が複数の受信レベル間を遷移する方法において、
遷移条件を検出する段階；及び、
上記遷移条件が検出される時、第１の受信レベルから第２の受信レベルに遷移し、上記第１の受信レベルのＤＲＸレベル周期と上記第２の受信レベルのＤＲＸレベル周期は異なる段階を含む方法。
（項目１１）
項目１０において、
上記遷移条件は、上記第２の受信レベルを表すＤＲＸ指示子がネットワークから受信される時検出される方法。
（項目１２）
項目１０において、
上記遷移条件は、タイマが満了される時検出され、上記タイマは、上記第１の受信レベルの開始時開始され、設定された時間の間ネットワークからどんなスケジューリング情報が受信されないと満了される方法。
（項目１３）
項目１０において、
上記遷移条件は、アップリンクデータが用意され、上記第２の受信レベルがｎｏｎ−ＤＲＸレベルである時検出される方法。
（項目１４）
項目１０において、
上記遷移条件は、端末が無線資源を要請し、上記第２の受信レベルがｎｏｎ−ＤＲＸレベルである時検出される方法。
【発明の効果】
【００１３】
端末は、明白な(explicit)命令/シグナリングを介して多重ＤＲＸレベル間を遷移することができる。送信及び/または受信時の待機による端末の電力消耗を最小化しつつ、サービス品質が最適化される。
【図面の簡単な説明】
【００１４】
【図１】無線通信システムを示したブロック図である。
【図２】無線インターフェースプロトコルの制御平面を示したブロック図である。
【図３】無線インターフェースプロトコルの使用者平面を示したブロック図である。
【図４】本発明の一実施例によるデータ受信方法を示した例示図である。
【図５】本発明の他の実施例によるデータ受信方法を示した例示図である。
【図６】本発明のもう一つの実施例によるデータ受信方法を示した例示図である。
【図７】本発明のもう一つの実施例によるデータ受信方法を示した例示図である。
【図８】本発明のもう一つの実施例によるデータ受信方法を示した例示図である。
【図９】本発明のもう一つの実施例によるデータ受信方法を示した例示図である。
【図１０】本発明のもう一つの実施例によるデータ受信方法を示した例示図である。
【図１１】本発明のもう一つの実施例によるデータ受信方法を示した例示図である。
【図１２】本発明の一実施例によるデータ伝送方法を示した例示図である。
【発明を実施するための形態】
【００１５】
図１は、無線通信システムを示したブロック図である。これはＥ−ＵＭＴＳ(Evolved−Universal  Mobile  Telecommunications  System)の網構造であってもよい。Ｅ−ＵＭＴＳシステムはＬＴＥ(LongTerm  Evolution)システムということもできる。無線通信システムは、音声、パケットデータなどのような多様な通信サービスを提供するために広く配置される。
【００１６】
図１を参照すると、Ｅ−ＵＴＲＡＮ(Evolved−UMTSTerrestrial  Radio  Access  Network)は基地局(２０；Base  Station、ＢＳ)を含む。端末(１０；UserEquipment、ＵＥ)は、固定されたり移動性を有することができ、ＭＳ(Mobile  station)、ＵＴ(User  Terminal)、ＳＳ(SubscriberStation)、無線機器(Wireless  Device)等、他の用語で呼ばれることができる。基地局(２０)は、一般的に端末(１０)と通信する固定された地点(fixedstation)をいい、ｅＮＢ(Evolved−NodeB)、ＢＴＳ(Base  Transceiver  System)、アクセスポイント(AccessPoint)等、他の用語で呼ばれることができる。一つの基地局(２０)には一つ以上のセルが存在することができる。基地局(２０)間には使用者トラフィックあるいは制御トラフィック伝送のためのインターフェースが使われることもできる。以下、ダウンリンク(downlink)は基地局(２０)から端末(１０)への通信を意味して、アップリンク(uplink)は端末(１０)から基地局(２０)への通信を意味する。
【００１７】
基地局(２０)は端末(１０)に使用者平面と制御平面の終端点を提供する。基地局(２０)間にはＸ２インターフェースを介して連結されることができ、隣接した基地局(２０)間には常にＸ２インターフェースが存在するメッシュ(meshed)網構造を有することができる。
【００１８】
基地局(２０)は、Ｓ１インターフェースを介してＥＰＣ(EvolvedPacket  Core)、より詳しくは、ａＧＷ(access  Gateway、３０)と連結される。ａＧＷ(３０)は端末(１０)のセッション及び移動性管理機能の終端点を提供する。基地局(２０)とａＧＷ(３０)間にはＳ１インターフェースを介して多数個のノード同士(manyto  many)連結されることができる。ａＧＷ(３０)は使用者トラフィック処理を担当する部分と制御用トラフィックを処理する部分に分かれることができる。この場合、新しい使用者トラフィック処理のためのａＧＷと制御用トラフィックを処理するａＧＷ間に新しいインターフェースを使用してお互いに通信することができる。ａＧＷ(３０)はＭＭＥ/ＵＰＥ(MobilityManagement  Entity/UserPlane  Entity)ともいう。
【００１９】
端末とネットワーク間の無線インターフェースプロトコル(radio  interface  protocol)の階層は、通信システムで広く知られた開放型システム間相互接続(Open  SystemInterconnection；ＯＳＩ)モデルの下位３個階層に基づいてＬ１(第１階層)、Ｌ２(第２階層)、Ｌ３(第３階層)に区分されることができる。このうち、第１階層に属する物理階層は、物理チャネル(physicalchannel)を用いた情報伝送サービス(information  transfer  service)を提供して、第３階層に位置する無線資源制御(radioresource  control；以下、ＲＲＣという)階層は、端末とネットワーク間に無線資源を制御する役割を遂行する。このためにＲＲＣ階層は端末とネットワーク間にＲＲＣメッセージをお互いに交換する。ＲＲＣ階層は、基地局(２０)とａＧＷ(３０)等、ネットワークノードに分散されて位置することができ、基地局(２０)またはａＧＷ(３０)にだけ位置することもできる。
【００２０】
無線インターフェースプロトコルは、水平的に物理階層(physicallayer)、データリンク階層(data  link  layer)及びネットワーク階層(network  layer)を含む。無線インターフェースプロトコルは、垂直的にはデータ情報伝送のための使用者平面(userplane)と制御信号(signaling)伝達のための制御平面(control  plane)を含む。
【００２１】
図２は、無線インターフェースプロトコルの制御平面を示したブロック図である。図３は、無線インターフェースプロトコルの使用者平面を示したブロック図である。これは３ＧＰＰ無線接続網規格に基づいた端末とＥ−ＵＴＲＡＮ間の無線インターフェースプロトコルの構造を示す。
【００２２】
図２及び図３を参照すると、第１階層である物理階層は、物理チャネル(physical  channel)を用いて上位階層に情報伝送サービス(information  transfer  service)を提供する。物理階層は、上位にある媒体接続制御(MediumAccess  Control；ＭＡＣ)階層とは伝送チャネル(transport  channel)を介して連結されており、この伝送チャネルを介してＭＡＣ階層と物理階層間のデータが移動する。また、相異する物理階層間、即ち、送信側と受信側の物理階層間は物理チャネルを介してデータが移動する。
【００２３】
第２階層のＭＡＣ階層は、論理チャネル(logicalchannel)を介して上位階層である無線リンク制御(Radio  Link  Control；ＲＬＣ)階層にサービスを提供する。第２階層のＲＬＣ階層は信頼性のあるデータの伝送を支援する。ＲＬＣ階層の機能は、ＭＡＣ内部の機能ブロックで具現されることもでき、この場合、点線で表示された通り、ＲＬＣ階層は存在しないこともある。
【００２４】
第２階層のＰＤＣＰ(Packet  DataConvergence  Protocol)階層は、ＩＰｖ４やＩＰｖ６のようなＩＰ(Internet  Protocol)パケット伝送時、帯域幅の小さい無線区間で効率的にパケットを伝送するために相対的に大きさが大きくて不必要な制御情報を含んでいるＩＰパケットヘッダサイズを減らすヘッダ圧縮(headercompression)機能を遂行する。
【００２５】
第３階層の無線資源制御(RadioResource  Control；以下、ＲＲＣ)階層は制御平面でだけ定義される。ＲＲＣ階層は、無線ベアラ(Radio  Bearer；ＲＢ)の設定(configuration)、再設定(re−configuration)及び解除(release)と関連して論理チャネル、伝送チャネル及び物理チャネルの制御を担当する。ＲＢは、端末とＥ−ＵＴＲＡＮ間のデータ伝達のために第２階層により提供されるサービスを意味する。ＲＢは、端末とＥ−ＵＴＲＡＮ間のデータ伝達のために無線プロトコルの第１及び第２階層により提供される論理的経路(path)を意味して、一般的に、ＲＢが設定されるということは、特定サービスを提供するために必要な無線プロトコル階層及びチャネルの特性を規定して、各々の具体的なパラメータ及び動作方法を設定する過程を意味する。
【００２６】
ネットワークから端末にデータを伝送するダウンリンク伝送チャネルでは、システム情報を伝送するＢＣＨ(Broadcast  Channel)とその以外に使用者トラフィックや制御メッセージを伝送するＤＬ−ＳＣＨ(Downlink−SharedChannel)がある。マルチキャストまたはブロードキャストサービスのトラフィックまたは制御メッセージの場合、ＤＬ−ＳＣＨを介して伝送されることもでき、または別途のＤＬ−ＭＣＨ(Downlink−MulticastChannel)を介して伝送されることもできる。端末からネットワークにデータを伝送するアップリンク伝送チャネルでは、初期制御メッセージを伝送するＲＡＣＨ(RandomAccess  Channel)とその以外に使用者トラフィックや制御メッセージを伝送するＵＬ−ＳＣＨ(Uplink−Shared  Channel)がある。ページング情報を伝達するためのＰＣＨ(PagingChannel)もアップリンク伝送チャネルに含まれる。
【００２７】
図４は、本発明の一実施例によるデータ受信方法を示した例示図である。
【００２８】
図４を参照すると、端末は少なくとも二つの非連続受信(Discontinuousreception、以下、ＤＲＸ)レベルを有する。ＤＲＸレベルは端末がダウンリンクデータの有無を確認する時期(moment)を定義する。ＤＲＸレベルは端末の電力消耗を縮めるための受信レベル(receptionlevel)である。ＤＲＸレベルはダウンリンクデータの有無を確認する周期(period)、即ち、ＤＲＸレベル周期を定義して、上記ＤＲＸレベル周期ごとにダウンリンクデータ有無を確認する。上記ＤＲＸレベル周期で端末がダウンリンクデータの有無を確認する時点をページング区間(PagingOccasion)という。上記ページング区間はＤＲＸ区間ごとに繰り返されることができる。
【００２９】
端末に無線資源を割り当てる間隔をＴＴＩ(TransmissionTime  Internal)といい、ページング区間はＤＲＸ区間で一番目のＴＴＩを指示することができる。
【００３０】
ＤＲＸレベル周期は各ＤＲＸレベルごとにお互いに異なってもよい。相異するＤＲＸレベル周期を有する多数のＤＲＸレベルがある。
【００３１】
以下では、端末が二つのＤＲＸレベル、第１のＤＲＸレベル及び第２のＤＲＸレベルを有して、第１のＤＲＸレベルのＤＲＸレベル周期が第２のＤＲＸレベルのＤＲＸレベル周期より長いといい。ただし、ＤＲＸレベルの数は二つに制限されることなく、三つ以上であってもよい。
【００３２】
端末は、一番目の第１のＤＲＸレベルの一番目のサブフレーム(subframe)で覚めてスケジューリングチャネル(Scheduling  channel)を受信する。ここでスケジューリングチャネルは、端末にデータのあることを指示したり、あるいは端末にページング信号を伝送するチャネルなどを意味する。スケジューリングチャネルでは、ＰＩＣＨ(PagingIndicator  Channel)、ＰＣＨ(Paging  Channel)及びＬ１/Ｌ２制御チャネル(Ｌ１/Ｌ２Control  Channel)などがある。
【００３３】
図４において、端末は第１のＤＲＸレベルの一番目のサブフレームで自分の情報をさがすことができないため、残りのＤＲＸレベル周期の間睡眠モード(sleep  mode)に入る。
【００３４】
次に、二番目の第１のＤＲＸレベル周期の一番目のフレームで端末は覚めてスケジューリングチャネルを受信する。即ち、基地局が伝送しようとする第１データ(Ｄ１)のある場合、これを第１のＤＲＸレベル周期の開始点に合わせてスケジューリングチャネルを介して基地局が端末に知らせる。ここで端末は自分がスケジューリングされたことを認知してＮｏｎ−ＤＲＸ(Non−Discontinuousreception)レベルで動作する。Ｎｏｎ−ＤＲＸレベルは連続受信(Continuous  reception)レベルともいう。Ｎｏｎ−ＤＲＸレベルで端末はデータの受信を指示するチャネルまたは端末に伝達するデータのあることを知らせるチャネルを連続的に受信する。基地局は伝送しようとする第１データ(Ｄ１)のある場合、これをスケジューリングチャネルを介して基地局が端末に知らせる。端末は、スケジューリングチャネルを認知して、ｎｏｎ−ＤＲＸレベルに入ってスケジューリング情報が指示することに従って第１データ(Ｄ１)を受信する。
【００３５】
基地局は、第１データ(Ｄ１)の伝送を終了して、ＤＲＸ指示子(DRXindicator)を端末がこれ以上連続的にスケジューリングチャネルを受信する必要の無いことを知らせるために端末に送ることができる。
【００３６】
ＤＲＸ指示子は端末に新しい受信レベルへ移動することを指示する。ＤＲＸ指示子は新しい受信レベルに端末を遷移させるための遷移条件(transition  condition)になる。新しい受信レベルは新しいＤＲＸレベルまたは新しいｎｏｎ−ＤＲＸレベルであってもよい。即ち、基地局はＤＲＸ指示子を介して端末がｎｏｎ−ＤＲＸレベルから第１のＤＲＸレベルまたは第２のＤＲＸレベルに遷移することを指示することができる。図４の例でＤＲＸ指示子は、端末が第２のＤＲＸレベルに遷移することを指すという。この場合、端末はＤＲＸ指示子に従ってｎｏｎ−ＤＲＸレベルから第２のＤＲＸレベルに遷移する。ここで、もし、設定された第２のＤＲＸレベルがないと、端末は第１のＤＲＸレベルに遷移することができる。
【００３７】
端末は第２のＤＲＸレベルで動作しながら、各第２のＤＲＸレベル周期の一番目のサブフレームで端末は覚めてスケジューリングチャネルを受信する。基地局が伝送しようとする第２データ(Ｄ２)のある場合、これを第２のＤＲＸレベル周期に合わせてスケジューリングチャネルを介して端末に知らせる。端末は、スケジューリングチャネルを認知して、ｎｏｎ−ＤＲＸレベルに入って第２データ(Ｄ２)を受信する。ここで、第２のＤＲＸレベル周期は第１のＤＲＸレベル周期より短いため、基地局はより速い周期に第２データ(Ｄ２)を伝送することができる。
【００３８】
第２のＤＲＸレベル周期の残りの区間の間スケジューリングチャネルで自分に対する情報を探すことができない場合、端末は残りの区間ではスケジューリングチャネルを受信しない。第２のＤＲＸレベル周期の各一番目のフレームで端末は覚めてスケジューリングチャネルを受信して、第２のＤＲＸレベルの一番目のフレームで自分の情報を発見することができないと、端末は該当する第２のＤＲＸレベルの第２のＤＲＸレベル周期の残りの区間の間はスケジューリングチャネルを受信しない。
【００３９】
端末は、第２のＤＲＸレベルを遂行しながら、一定条件が満たされると、再び第１のＤＲＸレベルに遷移することができる。ここでは、基地局における二番目のＤＲＸレベル周期が終わると直ちに、即ち、三番目のＤＲＸレベル周期が始まった後、端末は第２のＤＲＸレベルを中止して第１のＤＲＸレベルに遷移することを表せている。
【００４０】
ネットワークと端末間には少なくとも二つ以上の受信レベルが定義される。受信レベルは端末の受信状態をいい、ｎｏｎ−ＤＲＸレベルまたはＤＲＸレベルであってもよい。端末は遷移条件が満たされると、設定された受信レベル間を遷移することができる。
【００４１】
受信レベルは明白な(explicit)命令や明白なシグナリングにより遷移されることができる。
【００４２】
受信レベル間を遷移するための遷移条件の一例は、端末がＤＲＸ指示子を受信した場合である。ＤＲＸ指示子は端末が他のＤＲＸレベルに遷移することを指示することができる。また、ＤＲＸ指示子は、端末がｎｏｎ−ＤＲＸレベルに遷移することを指示することができる。上記ＤＲＸ指示子は、端末が多数のＤＲＸレベルのうち、いずれかのレベルに遷移しなければならないかを知らせる情報を含むことができる。端末が特定ＤＲＸレベルに遷移しなければならないかに関するＤＲＸ指示子を受信すると、端末はＤＲＸ指示子が指示するＤＲＸレベルに遷移することができる。
【００４３】
上記ＤＲＸ指示子は、端末がいつ新しいＤＲＸレベルに遷移しなければならないかを知らせる情報を含むことができる。ＤＲＸ指示子は、新しいＤＲＸレベルの開始を含むことができる。ＤＲＸ指示子がいつ新しいＤＲＸレベルに遷移しなければならないかを知らせる情報を含めると、端末は該当情報が指示する時間に新しいＤＲＸレベルに遷移することができる。
【００４４】
ＤＲＸ指示子はＬ１/Ｌ２制御チャネルを介して伝送されることができる。または、ＤＲＸ指示子はＭＡＣメッセージを介して伝送され、ＤＲＸ指示子はＭＡＣヘッダに含まれることができる。ＭＡＣヘッダに含まれるＤＲＸ指示子は制御情報の形態でＭＡＣＰＤＵ(Protocol  Data  Unit)に含まれることができる。ＤＲＸ指示子はＲＲＣメッセージを介して伝送されることができる。
【００４５】
遷移条件の他の例は、端末が新しい受信レベルに対する設定値を受信した場合である。上記設定値は、ネットワークと端末がはじめに呼びを設定したり、あるいは呼びの再設定過程で基地局が端末に知らせることができる。上記設定値は各々のＤＲＸレベルで使用するＤＲＸレベル周期に関する値であってもよい。または、上記設定値は各々のＤＲＸレベルで、ＤＲＸレベル周期がいつ始めるかを知らせる情報であってもよい。設定値はＲＲＣメッセージを介して伝達されることができる。
【００４６】
遷移条件のもう一つの例は、端末が特定時間の間データを受信することができなかったり、端末が端末にデータの受信を指示するチャネルまたは端末に伝達するデータのあることを知らせるチャネルを介して自分が受信すべきデータのあることを特定時間の間通知を受けていない場合である。
【００４７】
遷移条件のもう一つの例は、端末がアップリンクチャネルにデータを伝送する場合を意味する。端末が無線資源の要請メッセージをアップリンクチャネルに伝送したり、または使用者データまたは制御メッセージをアップリンクチャネルを介して伝送した場合である。
【００４８】
遷移条件のもう一つの例は、端末が現在とどまっているＤＲＸレベルとは異なるＤＲＸレベルの新しいＤＲＸレベル周期が始まる場合である。
【００４９】
遷移条件のもう一つの例は、端末が現在とどまっているＤＲＸレベルのＤＲＸレベル周期より長いＤＲＸレベル周期を有した他のＤＲＸレベルの新しいＤＲＸレベル周期が始まる場合である。
【００５０】
端末は遷移条件が発生して新しいＤＲＸレベルに遷移すべき場合、特定時間から新しいＤＲＸレベルを適用することができる。上記特定時間は新しいＤＲＸレベルの新しい区間が始まる時点であってもよい。端末は新しいＤＲＸレベルに遷移する場合、新しいＤＲＸレベルの新しい区間が始まる前までは現在使用中であるＤＲＸレベルを維持し続けることができる。
【００５１】
各々のＤＲＸレベルで端末は、予め決まった時間区間ごとに端末にデータの受信を指示したり、端末に伝達するデータのあることを知らせるスケジューリングチャネルを受信する。端末は、上記スケジューリングチャネルを受信した後、自分に到着したデータのあることを通知を受けたり、あるいは自分が受信すべき無線資源に関する情報を受信した場合、新しい受信レベルに遷移することができる。例えば、端末はｎｏｎ−ＤＲＸレベルに遷移することができる。基地局が端末に自分に到着したデータの無いことを通知したり、または端末が自分が受信すべき無線資源に関する情報の通知を受けられない場合、端末は設定されたＤＲＸ設定値に従って、次の予め決まった時間区間までデータの受信を指示したり端末に伝達するデータのあることを知らせるスケジューリングチャネルを受信しない。
【００５２】
各々のＤＲＸレベルで基地局は、予め決まった時間区間にだけスケジューリングチャネルを介して端末にデータの受信を指示したり、またはデータの受信の用意を命令するＤＲＸ指示子を伝送することができる。上記ＤＲＸ指示子を受信した後に、端末は新しい受信レベルに遷移することができる。例えば、ネットワークと端末はｎｏｎ−ＤＲＸレベルに遷移することもできる。基地局が端末に、上記端末に到着したデータの無いことを通知したりまたは端末に上記端末が受信すべき無線資源に関する情報の通知をできない場合、上記基地局は、設定されたＤＲＸ設定値に基づいて次の予め決まった時間区間までＤＲＸ指示子を伝送しないことがある。
【００５３】
予め決まった時間区間はページング区間であってもよい。上記ページング区間はＤＲＸレベル周期ごとに繰り返される。ページング区間はＤＲＸ区間で一番目のＴＴＩである。
【００５４】
以下、多数の受信レベル及びその遷移に対して例を挙げて記述する。
【００５５】
ネットワークと端末は三つの受信レベルを設定することができる。三つの受信レベルは、一つのｎｏｎ−ＤＲＸレベル及び二つのＤＲＸレベル(第１のＤＲＸレベルと第２のＤＲＸレベル)を含む。ネットワークと端末は一定条件を満たすと、現在受信レベルから次の受信レベルに遷移する。また、各々の受信レベルに設定された設定値に従ってダウンリンクチャネルの受信方法を設定する。
【００５６】
ｎｏｎ−ＤＲＸレベルで、端末は端末にデータの受信を指示したりまたは端末に伝達するデータのあることを知らせるスケジューリングチャネルを連続的に受信する。ｎｏｎ−ＤＲＸレベルで、端末は連続的にスケジューリング時間区間ごとにスケジューリングチャネルを受信する。
【００５７】
第１のＤＲＸレベルで、端末はスケジューリングチャネルが設定されたＤＲＸ設定値(ＤＲＸレベル周期)に従ってページング区間ごとに受信する。上記ページング区間で端末は自分が伝達を受けるデータのあることを指示を受けたり、または受信すべき無線資源に関する割当情報を受信した場合、連続受信レベルに遷移することができる。
【００５８】
第２のＤＲＸレベルで、端末はスケジューリングチャネルが設定されたＤＲＸ設定値に従ってページング区間ごとに受信する。上記ページング区間で端末は自分が伝達を受けるデータのあることを指示を受けたり、あるいは受信すべき無線資源に関する割当情報を受信した場合、ｎｏｎ−ＤＲＸレベルに遷移することができる。または第２のＤＲＸレベルから第１のＤＲＸレベルに遷移することができる。
【００５９】
第２のＤＲＸレベルで、端末はスケジューリングチャネルが設定されたＤＲＸ設定値に従ってページング区間ごとに受信する。上記ページング区間で端末は自分が伝達を受けるデータのあることを指示を受けたり、あるいは受信すべき無線資源に関する割当情報を受信した場合、第２のＤＲＸレベルの該当区間の間だけ連続受信を遂行することができる。上記該当区間の間、端末はスケジューリングチャネルを受信することができる。
【００６０】
端末がｎｏｎ−ＤＲＸレベルから第２のＤＲＸレベルに遷移するための条件の一例は、端末が基地局から第２のＤＲＸレベルに遷移しろとのＤＲＸ指示子を受ける場合である。他の例は、端末が基地局から一定時間の間データを受信することができなかったり、スケジューリング情報を受けることができない場合である。もう一つの例は、端末が新しいｎｏｎ−ＤＲＸレベルに関する設定値を受信する場合である。もう一つの例は、端末が基地局からデータを受信することができなかったり、自分に対するデータのスケジューリング情報を受けることができない状態で、第２のＤＲＸレベル周期の一番目のサブフレームに到達した場合である。
【００６１】
端末が第２のＤＲＸレベルから第１のＤＲＸレベルに遷移するための条件の一例は、端末が基地局から一定時間の間データを受信することができなかったり、スケジューリング情報を受けることができない場合である。他の例は、端末が基地局からデータを受信することができなかったり、自分に対するデータのスケジューリング情報を受けることができない場合である。もう一つの例は、第１のＤＲＸレベル周期の一番目のサブフレームに到達した場合である。もう一つの例は、端末が基地局から第１のＤＲＸレベルに進行しろとのＤＲＸ指示子を受信する場合である。もう一つの例は、端末が基地局からｎｏｎ−ＤＲＸレベルに遷移しろとのＤＲＸ指示子を受信する場合である。もう一つの例は、端末が新しいｎｏｎ−ＤＲＸレベルに関する設定値を受信する場合である。
【００６２】
端末が多数の受信レベルを有すると、端末への使用者データの量に伴って端末の電力消耗を調整することができる。インターネットブラウジングで一般的なウェブページの訪問を例に挙げると、使用者は、ウェブページをダウンロードした後、画面を暫く見た後、次のページに移動する。また、上記ウェブページのデータは一度に使用者に伝送される。然しながら、状況に応じては一部データ、例えば、ウェブページを構成する一部の絵は、使用者に遅延されて伝送される。このような状況で使用者に一度に画面が伝送される時期には、端末は、ｎｏｎ−ＤＲＸレベルで動作して、その次には一部データが遅延伝送されても関係のない第２のＤＲＸレベルに遷移して、最後に使用者がウェブページを読んでいる間にはデータ伝送がほとんど必要のない第１のＤＲＸレベルに遷移する。端末のＤＲＸレベルの数が多ければ、使用者データの流れに従ってＤＲＸレベルを異にすることによって端末の電力消耗を縮めることができる。また、使用者が感じるサービス品質低下も最小化することができる。
【００６３】
図５は、本発明の他の実施例によるデータ受信方法を示した例示図である。受信レベル間を遷移するためにタイマを使用する。
【００６４】
図５を参照すると、初期に端末は第１のＤＲＸレベルにある。基地局が伝送しようとする第１データ(Ｄ１)のある場合、これを第１のＤＲＸレベル周期に合わせてスケジューリングチャネルを介して基地局が端末に知らせる。端末は、スケジューリングチャネルを認知して、ｎｏｎ−ＤＲＸレベルに入って第１データ(Ｄ１)を受信する。
【００６５】
第１データ(Ｄ１)の伝送が終了された後、遷移タイマが開始される(start)。端末は遷移タイマが完了する(expire)時まで自分の情報をスケジューリングチャネルを介して受信することができなければ受信レベルを変更することができる。ここでは、遷移タイマが完了する場合、端末がｎｏｎ−ＤＲＸレベルから第２のＤＲＸレベルに遷移している。遷移タイマの周期(duration)は、メモリに格納されることができ、基地局が端末に知らせることができ、端末が指定して基地局に知らせることもできる。
【００６６】
図６は、本発明のもう一つの実施例によるデータ受信方法を示した例示図である。受信レベル間を遷移するために多数のタイマを使用する。
【００６７】
図６を参照すると、初期に端末は第１のＤＲＸレベルにある。基地局が伝送しようとする第１データ(Ｄ１)のある場合、これを第１のＤＲＸレベル周期に合わせてスケジューリングチャネルを介して基地局が端末に知らせる。端末は、スケジューリングチャネルを認知して、ｎｏｎ−ＤＲＸレベルに入って第１データ(Ｄ１)を受信する。
【００６８】
第１データ(Ｄ１)の伝送が終了された後、第１タイマが開始される。端末は第１タイマが完了する時まで自分の情報をスケジューリングチャネルを介して受信することができなければ受信レベルを変更することができる。ここでは、第１タイマが完了する場合、端末がｎｏｎ−ＤＲＸレベルから第２のＤＲＸレベルに遷移している。
【００６９】
端末が第２のＤＲＸレベルに遷移しつつ、第２タイマが開始される。端末は第２タイマが完了する時まで自分の情報をスケジューリングチャネルを介して受信することができなければ受信レベルを変更することができる。ここでは、第２タイマが完了する場合、端末が第２のＤＲＸレベルから第１のＤＲＸレベルに遷移している。
【００７０】
図７は、本発明のもう一つの実施例によるデータ受信方法を示した例示図である。受信レベル間を遷移するために予め設定された回数ほどＤＲＸレベル周期が進行される。
【００７１】
図７を参照すると、初期に端末は第１のＤＲＸレベルにある。基地局が伝送しようとする第１データ(Ｄ１)のある場合、これを第１のＤＲＸレベル周期に合わせてスケジューリングチャネルを介して基地局が端末に知らせる。端末は、スケジューリングチャネルを認知して、ｎｏｎ−ＤＲＸレベルに入って第１データ(Ｄ１)を受信する。
【００７２】
第１データ(Ｄ１)の伝送が終了された後、第２のＤＲＸレベルに遷移する。この遷移はＤＲＸ指示子によって行われることができ、タイマによって行われることができる。端末は、予め設定された回数の第２のＤＲＸレベル周期の間自分のスケジューリング情報を受信することができなければ第１のＤＲＸレベルに遷移する。ここでは３回の第２のＤＲＸレベル周期が経過した後、端末が第１のＤＲＸレベルに遷移する。
【００７３】
繰り返されるＤＲＸレベル周期の回数は、基地局と端末間に予め知られた値であってもよく、基地局が端末に知らせたりその反対にすることができる。
【００７４】
図８は、本発明のもう一つの実施例によるデータ受信方法を示した例示図である。これは第１のＤＲＸレベルと第２のＤＲＸレベルが同期化されない場合である。
【００７５】
図８を参照すると、端末は、予め設定された回数の第２のＤＲＸレベル周期の間自分のスケジューリング情報を受信することができなければ第１のＤＲＸレベルに遷移する。ここでは３回の第２のＤＲＸレベル周期が経過した後、端末が第１のＤＲＸレベルに遷移する。このとき、予め設定された回数の第２のＤＲＸレベル周期が過ぎた後、直ちに第１のＤＲＸレベルに遷移する。
【００７６】
図９は、本発明のもう一つの実施例によるデータ受信方法を示した例示図である。これは第１のＤＲＸレベルと第２のＤＲＸレベルが同期化される場合である。
【００７７】
図９を参照すると、端末は、予め設定された回数の第２のＤＲＸレベル周期の間自分のスケジューリング情報を受信しなくても、第１のＤＲＸレベルが同期化される時まで第２のＤＲＸレベルを続ける。設定された第２のＤＲＸレベル周期の回数を３とする時、３回の第２のＤＲＸレベル周期が過ぎても第１のＤＲＸレベルの同期が合わなければ新しい第１のＤＲＸレベル周期が始まる時まで第２のＤＲＸレベルを続ける。この時の設定された回数は最小の繰り返し回数を意味する。
【００７８】
図１０は、本発明のもう一つの実施例によるデータ受信方法を示した例示図である。
【００７９】
図１０を参照すると、ＤＲＸレベル周期の開始点が予め決まっている。従って、第１データ(Ｄ１)の伝送が完了した後、端末がＤＲＸ指示子を受信しても、直ちにスケジューリングチャネルの受信を中止することでなく、端末は次の第２のＤＲＸレベル周期まではｎｏｎ−ＤＲＸレベルを維持する。以後、第２のＤＲＸレベル周期の開始に合わせて第２のＤＲＸレベルに遷移する。即ち、基地局が第１データ(Ｄ１)を伝送した後、第２のＤＲＸレベルに遷移しろとのＤＲＸ指示子を送っても、端末は次の第２のＤＲＸレベル周期が始まる時点でｎｏｎ−ＤＲＸレベルから第２のＤＲＸレベルに遷移する。
【００８０】
次いで、端末は第２のＤＲＸレベルで動作しながら、第２のＤＲＸレベル周期の一番目の区間で自分の情報をスケジューリングチャネルを介して受信するようになると、再びｎｏｎ−ＤＲＸレベルに遷移する。
【００８１】
ネットワークと端末はＤＲＸレベル周期の開始点及び/または周期を予め約束することもできる。または、ネットワークが開始点及び/または周期に関する情報を端末に送ることができる。ＤＲＸレベル周期の開始点及び/または周期が設定される場合、端末が一つの受信レベルから他の受信レベルに遷移する時、いつ他の受信レベルに遷移するか、またはいつから新しい受信レベルの一番目のサブフレームの受信を遂行すべきかが分かる。端末はね一つの受信レベルにあり、新しい受信レベルに遷移すべき条件を満たす場合、直ちに遷移を遂行することでなく、上記設定された新しい受信段階の開始点に合わせて遷移する。即ち、端末はいつでも新しい受信段階に遷移することができることでなく、各々の受信レベルの開始点と周期に応じて決まった、一定時間区間でだけ新しい受信レベルの適用を始める。
【００８２】
Ｎｏｎ−ＤＲＸレベルで第２データ(Ｄ２)を受信した端末は、新しい第１のＤＲＸレベル周期が始まる場合、第１のＤＲＸレベルに遷移する。即ち、端末は、一つの受信レベルにとどまりながら、現在とは異なるＤＲＸレベルの新しい開始点に到達すると、現在の受信レベルで新しいＤＲＸレベルに遷移することができる。例えば、端末が現在第２のＤＲＸレベルを遂行中であり、一定条件を満たす状態で、第１のＤＲＸレベルの新しい開始点に到達すると、第１のＤＲＸレベルに遷移する。ここで、一定の条件は、端末が現在受信レベルで一定時間自分のスケジューリング情報を受けられない場合である。
【００８３】
各々のＤＲＸレベルの開始点が予め設定された場合、端末がＤＲＸ指示子のような別途の指示子を受信することができなくて端末と基地局のＤＲＸ設定状態と関連して不一致が発生しても、その不一致の影響を最小化することができる。即ち、端末が中間にＤＲＸ指示子をのがすとしても、最大第１ＤＲＸ周期ほど端末がバッテリをさらに浪費するようになる。従って、端末と基地局は、予めＤＲＸレベル周期の開始点を知るのが有利である。このためには、端末が、どんな条件が満たされて新しいＤＲＸレベルに遷移する場合、直ちに移動することでなく、新しいＤＲＸレベル周期の開始点に合わせて遷移すればよい。
【００８４】
例えば、次のような動作も可能である。
１)基地局は端末に第１のＤＲＸレベル周期と第２のＤＲＸレベル周期を設定する。
２)第１のＤＲＸレベル周期の一番目のサブフレームで、端末はＬ１/Ｌ２制御チャネルを確認して自分にきたデータがあるか確認する。
３)端末は自分にきたデータがあれば、
(１)スケジューリング情報に従って上記データを受信する。
(２)ＤＲＸ指示子を受信する時まで、連続的にＬ１/Ｌ２制御チャネルをモニターリングと、もし、Ｌ１/Ｌ２制御チャネルを介して基地局が自分にきたデータのあると知らせると、スケジューリング情報に従って上記データを受信する。
(３)ＤＲＸ指示子が受信されれば、
１．次の第１のＤＲＸレベル周期まで第２のＤＲＸレベルを始める。
２．第２のＤＲＸレベルを進行する間、各第２のＤＲＸレベル周期の一番目のサブフレームを受信して、自分にきたデータのあるか確認するためにＬ１/Ｌ２制御チャネルを確認する。
３.もし、自分にきたデータのあることを確認すれば、
ｉ)スケジューリング情報に従って上記データを受信する。
ｉｉ)自分の受信するデータがこれ以上ない時までＬ１/Ｌ２制御チャネルを受信する。
４．もし、Ｌ１/Ｌ２制御チャネルを介してこれ以上自分がスケジューリングされなかったことを確認した場合、端末は第２のＤＲＸレベル周期または第１のＤＲＸレベル周期の一番目のサブフレームのうち最も速いものも睡眠モードに入る。
４)もし、第１のＤＲＸレベル周期の一番目のサブフレームで端末に到着したデータのないならば、端末は次の第１のＤＲＸレベル周期の一番目のサブフレームまで睡眠モードで動作する。
【００８５】
端末は一つのＤＲＸレベルで動作しながら、スケジューリングチャネルなどを介してデータの受信の指示を受けたり、伝送を受けるデータのあることを通知を受けると、ｎｏｎ−ＤＲＸレベルに遷移する。この後、新しいＤＲＸ指示子を受けると、新しい受信レベル、例えば、新しいＤＲＸレベルに遷移する。このとき、端末は、自分が既存に使用していたＤＲＸ設定値を新しく受信したＤＲＸ設定値に更新することができる。
【００８６】
基地局は、追加的に新しいＤＲＸ設定値をいつから適用するかを知らせることができる。端末は、新しいＤＲＸ設定値を受信した時、上記新しいＤＲＸ設定値を基地局が指示した時点から使用し始める。
【００８７】
Ｎｏｎ−ＤＲＸレベルは、言い換えれば、ＤＲＸレベル周期が０であるものと同等である。従って、端末は、新しいＤＲＸレベル周期値に０の設定を受ければ、新しいＤＲＸレベル周期値の設定を受ける前まで、ｎｏｎ−ＤＲＸレベルで動作し続けることができる。
【００８８】
図１１は、本発明のもう一つの実施例によるデータ受信方法を示した例示図である。
【００８９】
図１１を参照すると、端末には受信レベルの数と動作に従って複数の動作モードが存在する。‘ＯＰＴＩＯＮ１’モードでは一つのＤＲＸレベルと睡眠モードがない連続受信レベルを有する。‘ＯＰＴＩＯＮ２’モードでは一つのＤＲＸレベルと睡眠モードがあるｎｏｎ−ＤＲＸレベルを有する。‘ＯＰＴＩＯＮ３’モードでは二つのＤＲＸレベルと一つのｎｏｎ−ＤＲＸレベルを有する。ここでは三つの動作モードに対して記述しているが、動作モードは二つまたは四つ以上になることができる。
【００９０】
‘ＯＰＴＩＯＮ１’モードで、端末は二番目の第１のＤＲＸレベル周期から覚める。二番目の第１のＤＲＸレベル周期の一番目のサブフレームでスケジューリング情報を介して自分のデータのあることを確認して、ｎｏｎ−ＤＲＸレベルに入る。端末は覚めた二番目の第１のＤＲＸレベル周期の全体を受信する。三番目の第１のＤＲＸレベル周期の一番目のサブフレームに自分のデータがないと、再びＤＲＸレベルに移動する。
【００９１】
‘ＯＰＴＩＯＮ２’モードで、端末は二番目の第１のＤＲＸレベル周期から覚める。二番目の第１のＤＲＸレベル周期の一番目のサブフレームでスケジューリング情報を介して自分のデータのあることを確認して、ｎｏｎ−ＤＲＸレベルに入る。端末は覚めた後連続受信をしながら、自分がこれ以上スケジューリングされないと、直ちに睡眠モードに遷移する。三番目の第１のＤＲＸレベル周期の一番目のサブフレームに自分のデータがあると、再び連続受信する。三番目の第１のＤＲＸレベル周期の一番目のサブフレームに自分のデータがないと、再びＤＲＸレベルに移動する。
【００９２】
‘ＯＰＴＩＯＮ３’モードで、端末は二番目の第１のＤＲＸレベル周期から覚める。二番目の第１のＤＲＸレベル周期の一番目のサブフレームでスケジューリング情報を介して自分のデータのあることを確認して、ｎｏｎ−ＤＲＸレベルに入る。端末は覚めた後連続受信をしながら、自分がこれ以上スケジューリングされないと、自動に第２のＤＲＸレベルに遷移する。また、次の第１のＤＲＸレベル周期の開始前まで毎度第２のＤＲＸレベル周期の一番目のサブフレームを受信する。第２のＤＲＸレベル周期の一番目のサブフレームで自分がスケジューリングされると、覚めた第２のＤＲＸレベル周期の全体を連続受信する。三番目の第１のＤＲＸレベル周期の一番目のサブフレームに自分のデータがないと、再び第１のＤＲＸレベルに移動する。
【００９３】
以下、端末のアップリンク伝送と関連したＤＲＸ方法を記述する。
【００９４】
一般的に端末がデータあるいは制御メッセージを基地局に伝送した場合、直ちに基地局から応答メッセージが伝送される。このとき、短いＤＲＸレベル周期を有するＤＲＸレベルやあるいはｎｏｎ−ＤＲＸレベルを使用するのが有利である。
【００９５】
端末は、基地局にデータあるいは制御メッセージを伝送するようになると、使用中である受信レベルを変更する。新しい受信レベルはｎｏｎ−ＤＲＸレベルまたは新しいＤＲＸレベルであってもよい。端末がアップリンク伝送を遂行した後、新しい受信レベルに遷移するようになる時、新しい受信レベルは予め呼び(call)が設定されたり再設定される時決まる。例えば、端末が第１のＤＲＸレベルにありながら、アップリンク伝送を遂行するようになると、第２のＤＲＸレベルに遷移することができる。または、端末が第１のＤＲＸレベルにありながら、アップリンク伝送を遂行するようになると、ｎｏｎ−ＤＲＸレベルに遷移することができる。
【００９６】
端末が無線資源の割当を要請する場合、ｎｏｎ−ＤＲＸレベルに遷移することができる。例えば、端末がＲＡＣＨを使用した場合ならば、端末はプレアンブルを伝送した後、ｎｏｎ−ＤＲＸレベルに遷移する。ＲＡＣＨに対する応答で、端末がスケジューリングチャネルを介して自分がアップリンクにデータまたは制御メッセージを送ることができる無線資源の割当を受けると、第２のＤＲＸレベルに遷移することができる。
【００９７】
図１２は、本発明の一実施例によるデータ伝送方法を示した例示図である。
【００９８】
図１２を参照すると、初期に端末は第１のＤＲＸレベルにある。端末はアップリンクにデータ(ＤＵ)を伝送する。端末は、第１のＤＲＸレベルで動作しながら、アップリンクにデータ(ＤＵ)を伝送すると、第２のＤＲＸレベルに遷移する。または、設定に従って第２のＤＲＸレベルでないｎｏｎ−ＤＲＸレベルに遷移することもできる。アップリンクに伝送する時点と第２のＤＲＸレベルに遷移する時点は同一であってもよく、または前者が後者より先行したり、後者が前者より先行することができる。
【００９９】
端末は、第２のＤＲＸレベルに遷移した後、各第２のＤＲＸレベル周期の一番目のサブフレームを探して自分のデータが基地局から伝送されるか確認する。端末は、第２のＤＲＸレベルに遷移した後、一定時間が過ぎる時までダウンリンクへの何らのデータも受けることができなかったり、あるいはスケジューリングチャネルを介して基地局が上記端末に伝送するデータのあるという情報を受信しないと、上記端末は再び第１のＤＲＸレベルに遷移する。アップリンク伝送によって第２のＤＲＸレベルに遷移した後、無制限に第２のＤＲＸレベルで動作するのは端末の電力消耗に悪影響を及ぼすことができるためである。上記一定時間は、端末が伝送を遂行した後タイマを用いたり、あるいは端末が伝送を遂行した後とどまる第２のＤＲＸレベル周期の数を意味することができる。上記一定時間は呼びの設定または呼びの再設定を介して端末に設定されることができる。
【０１００】
端末は、第２のＤＲＸレベルを遂行しながら、新しい第１のＤＲＸレベル周期の開始点に再び第１のＤＲＸレベルに遷移することもできる。またはＤＲＸ指示子が使われることもできる。
【０１０１】
本発明は、ハードウェア、ソフトウェアまたはこれらの組合せで具現されることができる。ハードウェア具現において、上述した機能を遂行するためにデザインされたＡＳＩＣ(application  specific  integrated  circuit)、ＤＳＰ(digital  signalprocessing)、ＰＬＤ(programmable  logic  Device)、ＦＰＧＡ(field  programmable  gate  array)、プロセッサ、制御機、マイクロプロセッサ、他の電子ユニットまたはこれらの組合せで具現されることができる。ソフトウェア具現において、上述した機能を遂行するモジュールで具現されることができる。ソフトウェアは、メモリユニットに格納されることができ、プロセッサにより実行される。メモリユニットやプロセッサは当業者によく知られた多様な手段を採用することができる。
【０１０２】
以上、本発明の望ましい実施例に対して詳細に技術したが、本発明が属する技術分野において通常の知識を有した者ならば、添付された請求範囲に定義された本発明の精神及び範囲を外れない限り、本発明を多様に変形または、変更して実施可能であることが分かる。従って、本発明の今後の実施例の変更は本発明の技術を外れることができない。
【符号の説明】
【０１０３】
１０  端末
２０  基地局
３０  ａＧＷ
【図１】
0005470435.tif 000002
【図２】
0005470435.tif 000003
【図３】
0005470435.tif 000004
【図４】
0005470435.tif 000005
【図５】
0005470435.tif 000006
【図６】
0005470435.tif 000007
【図７】
0005470435.tif 000008
【図８】
0005470435.tif 000009
【図９】
0005470435.tif 000010
【図１０】
0005470435.tif 000011
【図１１】
0005470435.tif 000012
【図１２】
0005470435.tif 000013